(57)【要約】【課題】  冷却器の除霜運転中に、貯蔵室内の温度が上昇したり、変動したりするのを最小限に抑える。【解決手段】  内ケース２における前部の冷却器１１と対向する部分に複数の通風孔２０を設けるとともに、内ケース２の裏面に、冷却器１１よりも下流側において通風路８と連通する流入口１７を備え、この流入口より流入した冷気を通風孔２０を通して貯蔵室４内に吹き出させる冷気導入路１８を設ける。【選択図】  図１
2006207885.tif 000002
【特許請求の範囲】
【請求項１】
内方に上面もしくは前面が開口する貯蔵室が形成された内ケースと断熱構造の外ケースとの間に形成され、かつ適所に送風機が設けられた通風路内に、複数の冷却器を、通風方向と交差する方向に、かつ互いに断熱して並設し、これらの冷却器への通風を切換手段により交互に切換えるとともに、各冷却器を交互に冷却運転と除霜運転とに切換可能としてなる冷蔵オープンショーケースにおいて、
前記内ケースにおける前記冷却器の少なくとも一部と対向する部分に、複数の通風孔を設けるとともに、内ケースの裏面に、前記冷却器よりも下流側において前記通風路と連通する流入口を備え、この流入口より流入した冷気を前記通風孔を通して前記貯蔵室内に吹き出させる冷気導入路を設けたことを特徴とする冷蔵オープンショーケース。
【請求項２】
内ケースにおける冷却器と対向する部分の裏面に導風板を設けて内外二重構造とし、該導風板と内ケースとの間の空間を冷気導入路とした請求項１に記載の冷蔵オープンショーケース。
【請求項３】
導風板と冷却器との対向面間に、閉塞空間を設けた請求項２に記載の冷蔵オープンショーケース。
【請求項４】
冷気導入路の流入口を、冷却器の下流側の端部から離れた位置に設けた請求項１ないし３のいずれかに記載の冷蔵オープンショーケース。
【請求項５】
互いに隣接する冷却器同士の境界部に、通風路の下流方向に延出する仕切板を設けた請求項１ないし４のいずれかに記載の冷蔵オープンショーケース。
【請求項６】
仕切板の先端を冷気導入路の流入口とほぼ同位置とした請求項５に記載の冷蔵オープンショーケース。
【請求項７】
複数の冷却器への通風の切換手段を、冷却器よりも上流側の通風路内に設けた請求項１ないし６のいずれかに記載の冷蔵オープンショーケース。
【発明の詳細な説明】
【技術分野】
【０００１】
本発明は、通風路内に複数の冷却器を、交互に冷却運転と除霜運転を行い得るように設けてなる冷蔵オープンショーケースに関する。
【背景技術】
【０００２】
１基の冷却器を有する冷蔵オープンショーケースでは、冷却器を冷却運転から除霜運転に切換えると、貯蔵室内の温度が変動（上昇）するという問題がある。
これを防止するために、複数の冷却器を通風路内に設け、それらを交互に除霜運転することにより、除霜運転時の貯蔵室の温度変動を抑えるようにした冷蔵オープンショーケースが知られている（例えば、特許文献１、２参照）。
【０００３】
【特許文献１】実開平１−５８０７８号公報
【特許文献２】特開平１１−２３１３４号公報
【発明の開示】
【発明が解決しようとする課題】
【０００４】
上記特許文献に記載の冷蔵オープンショーケースでは、２基の冷却器の一方または両方が、内ケースと近接して設けられているため、一方の冷却器を、例えば温度を上昇させて除霜運転すると、その冷却器の熱が内ケースに伝わり、貯蔵室内の温度が上昇したり、変動するなどして、冷蔵商品の冷却効果が低下する恐れがある。
【０００５】
本発明は、上記問題点を解決するためになされたもので、冷却器の除霜運転中に、貯蔵室内の温度が上昇したり、変動したりするのを最小限に抑え、冷蔵商品の冷却効果を向上させることができるようにした冷蔵オープンショーケースを提供することを目的としている。
【課題を解決するための手段】
【０００６】
上記目的を達成するために、本発明の請求項１に記載の冷蔵オープンショーケースは、内方に上面もしくは前面が開口する貯蔵室が形成された内ケースと断熱構造の外ケースとの間に形成され、かつ適所に送風機が設けられた通風路内に、複数の冷却器を、通風方向と交差する方向に、かつ互いに断熱して並設し、これらの冷却器への通風を切換手段により交互に切換えるとともに、各冷却器を交互に冷却運転と除霜運転とに切換可能としてなる冷蔵オープンショーケースにおいて、
前記内ケースにおける前記冷却器の少なくとも一部と対向する部分に、複数の通風孔を設けるとともに、内ケースの裏面に、前記冷却器よりも下流側において前記通風路と連通する流入口を備え、この流入口より流入した冷気を前記通風孔を通して前記貯蔵室内に吹き出させる冷気導入路を設けたことを特徴としている。
この特徴によれば、内ケース側の冷却器を除霜運転し、その温度が上昇しても、冷却運転されている他の冷却器より通風路に流出した冷気が、内ケースの裏面に設けた冷気導入路に流入し、内ケースの通風孔より貯蔵室に吹き出されるため、除霜運転中の冷却器と対向する内ケース付近の貯蔵室の温度が変動したり、上昇したりするのが最小限に抑えられる。その結果、冷蔵商品の冷却効果が向上する。
また、内ケース側の冷却器の温度を上昇させて、除霜時間を短縮することもできる。
【０００７】
本発明の請求項２に記載の冷蔵オープンショーケースは、請求項１に記載の冷蔵オープンショーケースであって、内ケースにおける冷却器と対向する部分の裏面に導風板を設けて内外二重構造とし、該導風板と内ケースとの間の空間を冷気導入路としたことを特徴としている。
この特徴によれば、内ケースの裏面の導風板を設けて二重構造とするだけで、冷気導入路を容易かつ安価に形成することができる。
【０００８】
本発明の請求項３に記載の冷蔵オープンショーケースは、請求項２に記載の冷蔵オープンショーケースであって、導風板と冷却器との対向面間に、閉塞空間を設けたことを特徴としている。
この特徴によれば、導風板と冷却器とが、閉塞空間を挟んで離間し、導風板に冷却器の熱が伝わりにくくなるため、冷気導入路に流入した冷気の温度が上昇するのを抑えることができる。
【０００９】
本発明の請求項４に記載の冷蔵オープンショーケースは、請求項１ないし３のいずれかに記載の冷蔵オープンショーケースであって、冷気導入路の流入口を、冷却器の下流側の端部から離れた位置に設けたことを特徴としている。
この特徴によれば、通風路内の冷気が、除霜運転中の冷却器から離れた下流側より冷気導入路に流入するため、その冷却器の温度の影響を小さくすることができる。
【００１０】
本発明の請求項５に記載の冷蔵オープンショーケースは、請求項１ないし４のいずれかに記載の冷蔵オープンショーケースであって、互いに隣接する冷却器同士の境界部に、通風路の下流方向に延出する仕切板を設けたことを特徴としている。
この特徴によれば、冷却運転中の冷却器より出た冷気は、仕切板により通風路の下流側に導かれ、除霜運転中の冷却器の温度の影響を受けずに冷気導入路に流入するため、その中の冷気の温度が上昇するのを抑えることができる。また、除霜運転中の冷却器も冷気の影響を受けにくくなるため、除霜時間を短縮することができる。
【００１１】
本発明の請求項６に記載の冷蔵オープンショーケースは、請求項５に記載の冷蔵オープンショーケースであって、仕切板の先端を冷気導入路の流入口とほぼ同位置としたことを特徴としている。
この特徴によれば、仕切板により導かれた冷気が、除霜運転中の冷却器の温度の影響を受けずに速やかに冷気導入路の流入口に流入するため、その中の冷気の温度上昇をより小さく抑えることができる。
【００１２】
本発明の請求項７に記載の冷蔵オープンショーケースは、請求項１ないし６のいずれかに記載の冷蔵オープンショーケースであって、複数の冷却器への通風の切換手段を、冷却器よりも上流側の通風路内に設けたことを特徴としている。
この特徴によれば、内ケースの裏面に冷気導入路を形成する際に、切換手段が障害となって設計の自由度が制約されるということがなくなる。また、縦型の冷蔵オープンショーケースにおいて、その後部の上下方向を向く通風路内の下部に冷却器を設けた際に、内ケースの後面板の制約を受けずに、切換手段を冷却器よりも上流の通風路内に設けることができる。
【発明を実施するための最良の形態】
【００１３】
以下、本発明の実施形態を図面に基づいて説明する。
【００１４】
図１は、本発明の第１の実施形態の縦型多段冷蔵オープンショーケースの縦断側面図を示すもので、この冷蔵オープンショーケースのケース本体１は、前面が開口されたほぼコ字状断面の内ケース２と、その外側を間隔をおいて覆う断熱構造の外ケース３とからなり、内ケース２の内方には商品の貯蔵室４が形成されている。
【００１５】
ケース本体１の下端は、基台５により支持固定されている。内ケース２の後面板２ａは、若干後方に傾斜させてあり、その前面に後端が取付けられた上下複数のブラケット６には、商品載置用の棚板７が、所定間隔おきに支持されている。
【００１６】
内ケース２と外ケース３との間には、通風路８が形成され、下部の水平通風路８ａには、送風機９と、その下流側に通風の切換手段である切換シャッタ１０とが設けられている。
【００１７】
上方に向かって漸次挟幅をなしている垂直通風路８ｂ内の下端部には、前後２基の冷却器１１、１１が通風方向と交差するようにして並設され、それらの境界部は、断熱性の仕切板１２により離間され、互いに熱伝導が起こらないようになっており、これら前後の冷却器１１は、交互に冷却運転と除霜運転を行い得る構造となっている。
【００１８】
仕切板１２の上端部は、冷却器１１の上端よりも通風路８の下流側に向かって所要寸法延出させてある。
【００１９】
また、前後の冷却器１１の上流側の通風路は、隔壁１３により仕切られ、その仕切られた２つの通路の上流側を、上記切換シャッタ１０が交互に開閉するようになっている。すなわち、図示しないモータ及びそれにより回転されるギヤ等の駆動手段により、切換シャッタ１０を実線で示す位置に回動すると、前部の冷却器１１への通風が停止され、後部の冷却器１１のみに通風される。また、切換シャッタ１０を２点鎖線の位置に切換えると、上記とは反対に、後部の冷却器１１への通風が停止されて、前部の冷却器１１に通風されるようになる。
【００２０】
これは、一方の冷却器１１を除霜運転する際に、除霜が効果的に行われるように、それへの通風を停止し、他方の冷却器１１を冷却運転させて、貯蔵室４の保冷効果を低下させないようにするためである。
【００２１】
冷却運転されている冷却器１１より流出した冷気は、上部の上下２段の通風路８ｃに流入し、それらの前端に設けた冷気吹出し口１４、１４より下方の冷気吸込み口１５に向かって吹き出される。これにより、ケース本体１の前面開口部に矢印のようなエアカーテンが形成され、貯蔵室４内の商品が保冷されるようになる。
【００２２】
内ケース２における後面板２ａの下端部は、その裏面、すなわち前部の冷却器１１と対向する部分に導風板１６を所要寸法離間させて設けることにより、内外二重構造とされ、かつ図２にも示すように、導風板１６の下端部と両側端部を後面板２ａに固着し、上端のみを開口させることにより、後面板２ａと導風板１６との間に、上端に通風路８に連通する流入口１７を有するダクト状の冷気導入路１８が形成されている。また、冷気導入路１８の流入口１７は、仕切板１２の上端とほぼ等高をなす位置に形成されている。
【００２３】
導風板１６の上部寄りの裏面は、前部の冷却器１１の上端縁に当接し、冷却器１１と導風板１６との対向面間には、通風路８と隔離した閉塞空間１９（図１参照）が形成されている。
【００２４】
後面板２ａにおける冷却器１１と対向する下端部には、多数の通風孔２０が穿設され、冷気導入路１８に流入した冷気が貯蔵室４内の下部に吹き出すようになっている。
【００２５】
以上説明したように、上記第１の実施形態の冷蔵オープンショーケースにおいては、前後に並設された冷却器１１と対向する内ケース２の裏面に、上端に流入口１７を有する冷気導入路１８を設け、これに流入した冷気を、内ケース２に穿設された多数の通風孔２０を通して貯蔵室４内に吹き出すようにしているため、前部の冷却器１１が除霜運転されて温度が上昇し、その温度が対向する内ケース２に伝達されても、貯蔵室４の下部の温度が上昇したり、変動したりするのが防止される。
【００２６】
また、前後の冷却器１１を隔離する仕切板１２を、下流方向に延出させているため、冷却運転中の一方の冷却器１１より出た冷気は、仕切板１２に案内されて下流側に導かれ、除霜運転中の他方の冷却器１１の温度の影響を受けずに、冷気導入路１８に流入する。従って、冷気導入路１８内の冷気の温度が上昇するのを抑えうるとともに、除霜運転中の冷却器１１も冷気の影響を受けにくくなる。
【００２７】
さらに、仕切板１２の上端と冷気導入路１８の流入口１７とをほぼ同位置としているため、仕切板１２に導かれて下流側に流れた冷気が、除霜運中の冷却器１１の温度の影響を受けずに速やかに流入口１７に流入するため、冷気導入路１８内の冷気の温度上昇をより小さく抑えることができる。
【００２８】
図３は、本発明の第２の実施形態を示すもので、上面が開口する平型冷蔵オープンショーケースに適用した例を示している。なお、上記第１の実施形態と同様の部材及び同じ機能を有する部材には同一の符号を付し、その詳細な説明は省略する。
【００２９】
この第２の実施形態においては、下部の水平通風路８ａの後部に、上下２基の冷却器１１、１１を、通風方向と交差するように並設し、上部の冷却器１１と対向する内ケース２の底板２ｂの裏面に、上述と同様の導風板１６を設けて冷気導入路１８を形成してある。底板２ｂには、上記と同様の通風孔２０が多数穿設されている。
【００３０】
また、上下の冷却器１１を隔離する仕切板１２も、上記実施形態と同様、下流側に所要寸法延出され、かつその先端（後端）と、冷気導入路１８の流入口１７とほぼ同位置に整合させている。上部の冷却器１１と導風板１６との対向面間には、上記と同様の閉塞空間１９が形成されている。
【００３１】
この第２の実施形態の冷蔵オープンショーケースにおいても、上記第１の実施形態と同様の作用効果を奏することができる。
【００３２】
すなわち、上部の冷却器１１が除霜運転されて温度が上昇し、その温度が内ケース２の底板２ａに伝達されても、冷気導入路１８に流入した冷気が底板２ａの上方の貯蔵室４に吹き出されるので、その部分の温度が上昇したりするのが防止される。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、水平通風路８ａ内に、前後または上下２基の冷却器１１、１１が並設されていたが、３基以上の冷却器が並設されている場合でも、前記実施例と同様の作用・効果が得られる。
【図面の簡単な説明】
【００３５】
【図１】本発明の第１の実施形態の冷蔵オープンショーケースの縦断側面図である。
【図２】同じく、内ケースにおける冷気導入路を設けた部分の要部の斜視図である。
【図３】本発明の第２の実施形態の冷蔵オープンショーケースの縦断側面図である。を示す図である。
【符号の説明】
【００３６】
１                ケース本体
２                内ケース
２ａ              後面板
２ｂ              底板
３                外ケース
４                貯蔵室
５                基台
６                ブラケット
７                棚板
８                通風路
８ａ              水平通風路
８ｂ              垂直通風路
９                送風機
１０              切換シャッタ（切換手段）
１１              冷却器
１２              仕切板
１３              隔壁
１４              冷気吹出し口
１５              冷気吸込み口
１６              導風板
１７              流入口
１８              冷気導入路
１９              閉塞空間
２０              通風孔
【図１】
2006207885.tif 000003
【図２】
2006207885.tif 000004
【図３】
2006207885.tif 000005